(57)【特許請求の範囲】
【請求項１】
特定領域内に位置する移動機と無線でデータの送受信を行う基地局に接続された加入者側回線を入端子に接続し、他の交換網に接続された中継回線を出端子に接続した通話路切替スイッチ上に、
特定の出端子からの出力を特定の入端子へ入力する折り返し回線を設け、
前記移動機から前記基地局を介して呼設定要求信号を受信した場合に、
前記基地局に接続される加入者側回線の入端子と、前記折り返し回線の出端子との間に通話路を設定する入側パス設定ステップと、
発呼先の端末を収容する他の交換網へ接続された中継回線の出端子と前記折り返し回線の入端子との間に通話路を設定する出側パス設定ステップとを含み、
前記通話路切替スイッチの出端子には、一端を前記呼設定以外のサービスに係る通信サービス提供装置に接続した送受信回線の他端を接続し、
前記移動機から通信サービスの提供要求を受けた場合に、
前記他の交換網に接続される中継回線の出端子と前記折り返し回線の入端子との間に設定されている通話路を解放する出側パス解放ステップと、
前記通信サービス提供装置に接続される送受信回線の出端子と前記折り返し回線の入端子との間に通話路を設定する出側パス設定ステップとを含むことを特徴とする通話路制御方法。
【請求項２】
前記請求項１において、前記移動機が他の基地局の管理する特定領域へ移動した場合に、前記基地局に接続される加入者側回線の入端子と前記折り返し回線の出端子との間に設定されている通話路を解放する入側パス解放ステップと、
前記他の基地局に接続される加入者側回線の入端子と前記折り返し回線の出端子とを接続する通話路を設定する入側パス設定ステップとを含むことを特徴とする通話路制御方法。
【請求項３】
前記請求項１において、前記通信サービス提供装置は、前記移動機へ、音声メッセージを送信する音声トランクであることを特徴とする通話路制御方法。
【請求項４】
前記請求項１において、前記通信サービス提供装置は、前記移動機から送信されてくる音声を登録するメッセージ蓄積装置であることを特徴とする通話路制御方法。
【請求項５】
特定領域内に位置する移動機と無線でデータの送受信を行う基地局に接続された加入者側回線を入端子に接続し、他の交換網に接続された中継回線を出端子に接続した通話路切替スイッチ上に、特定の出端子からの出力を特定の入端子へ入力する折り返し回線を設け、
前記移動機からの呼設定要求信号を前記基地局を介して受信した場合に、
前記基地局に接続される加入者側回線の入端子と、前記折り返し回線の出端子との間に通話路を設定する入側パス設定手段と、
発呼先の端末を収容する他の交換網に接続される中継回線の出端子と前記折り返し回線の入端子との間に通話路を設定する出側パス設定手段とを備え、
前記通話路切替スイッチの出端子には、一端を前記呼設定以外のサービスに係る通信サービス提供装置に接続した送受信回線の他端を接続し、
前記移動機から通信サービスの提供要求を受けた場合に、
前記他の交換網に接続される中継回線の出端子と前記折り返し回線の入端子との間に設定されている通話路を解放する出側パス解放手段と、
前記通信サービス提供装置に接続される送受信回線の出端子と前記折り返し回線の入端子との間に通話路を設定する出側パス設定手段とを備えたたことを特徴とする通話路制御装置。
【請求項６】
前記請求項５において、前記移動機が他の基地局の管理する特定領域へ移動した場合に、前記基地局に接続される加入者側回線の入端子と前記折り返し回線の出端子との間に設定されている通話路を解放する入側パス解放手段と、前記他の基地局に接続される加入者側回線の入端子と前記折り返し回線の出端子とを接続する通話路を設定する入側パス設定手段とを備えたことを特徴とする通話路制御装置。
【請求項７】
前記請求項５において、前記通信サービス提供装置は、前記移動機へ、音声メッセージを送信する音声トランクであることを特徴とする通話路制御装置。
【請求項８】
前記請求項５において、前記通信サービス提供装置は、前記移動機から送信されてくる音声を登録するメッセージ蓄積装置であることを特徴とする通話路制御装置。
【発明の詳細な説明】
【０００１】
【産業上の利用分野】
本発明は、移動機を収容する交換網において、加入者側回線と中継回線とを接続する通話路の設定、解除、及び切替を行う通話路切替スイッチの制御方法及び装置に関する。
【０００２】
【従来の技術】
交換機は、複数の入端子と出端子とを有する通話路切替スイッチを備えている。
【０００３】
この通話路切替スイッチの入端子には、一端を端末機に接続した加入者側回線の他端を接続してある。一方、出端子には、一端を他の交換機に接続した中継回線の他端を接続してある。さらに、出端子には、一端を通信サービス提供装置に接続した送受信回線の他端が接続してある。この通信サービス提供装置は、端末機に対して通信サービスを提供する装置である。上記通信サービスは、例えば、コールウェイティングや３者間通信等である。
【０００４】
交換機は、ある端末機から呼設定要求信号を受信すると、発呼先の端末機を収容する交換網を判別する。そして、交換機は、前記交換網の交換機に接続された中継回線の出端子を判別する。
【０００５】
交換機は、通話路切替スイッチの使用状況を参照して、前記端末機へ接続される加入者側回線の入端子と前記発呼先の交換機へ接続される中継回線の出端子とをの間に通話路を設定する。
【０００６】
通信途中に、前記端末機から通信サービス要求を受けると、交換機は、端末機の要求する通信サービスを判別し、この通信サービスに対応する通信サービス提供装置、及びこの通信サービス提供装置へ接続される送受信回線の出端子を判別する。そして、交換機は、前記加入者側回線の入端子と中継回線の出端子との間に設定した通話路を解放すると同時に、前記加入者側回線の入端子と前記送受信回線の出端子との間に通話路を設定する。
【０００７】
ここで、無線でデータの送受信を行う移動機を収容する通信網の場合、交換機と移動機との間に複数の基地局を設置する。この基地局は、特定領域内に位置する移動機と無線でデータの送受信を行うものである。また、基地局は、有線の加入者側回線により交換機とデータの送受信を行う。
【０００８】
特定領域Ａを管理する基地局Ａは、特定領域Ａ内に位置する移動機から呼設定要求を受信すると、この呼設定要求信号を加入者側回線を介して交換機へ送信する。
【０００９】
交換機は、呼設定要求信号を受信すると、前記基地局Ａに接続される加入者側回線の入端子を判別する。そして、交換機は、発呼先の移動機を管理する交換機を判別すると同時に、この交換機へ接続される中継回線の出端子を判別する。次に、交換機は、通話路切替スイッチの使用状況を参照して、前記入端子と出端子との間に通話路を設定する。さらに、交換機は、前記通話路及び中継回線を介して呼設定要求信号を発呼先の交換機へ送信する。
【００１０】
通信途中の移動機が特定領域Ａから特定領域Ｂへ移動した場合に、特定領域Ｂを管理する基地局Ｂは、交換機に対して前記移動機の移動を通知する。
交換機は、前記移動機の移動通知を受信すると、移動前に設定した通話路を解放する。そして、交換機は、通話路切替スイッチの使用状況を参照し、基地局Ｂに接続される加入者側回線の入端子と、前記中継回線の出端子との間に新たな通話路を設定する。
【００１１】
また、交換機は、移動機から通信サービスの要求を受けると、交換機は、加入者側回線の入端子と中継回線の出端子との間に設定されたパスを解放する。そして、交換機は、上記通信サービスに対応する通信サービス提供装置を判別すると同時に、この通信サービス提供装置に接続される送受信回線の出端子を判別する。次に、交換機は、通話路切替スイッチの使用状況を参照して、前記加入者側回線の入端子と前記送受信回線の出端子との間に通話路を設定する。
【００１２】
図１６は、従来の通話路切替方法を説明する図である。
図１６において、８０は移動体交換機のネットワーク、８１は特定領域Ａを管理する基地局、８２は特定領域Ｂを管理する基地局、８３は移動機、８４は他の交換機に接続された中継回線、８５は特定の信号音を発生する音源（特殊トランク等を含む）である。
【００１３】
特定領域Ａに位置する移動機８３のユーザは、通信を開始する際に、オフフック信号を発信し、通信先電話端末の着信番号をダイヤルする。
基地局８１は、オフフック信号及び着信番号を受信すると、これらの信号を加入者側回線を介して移動体交換機へ送信する。
【００１４】
交換機は、着信番号を解析して、相手先電話端末を収容する交換網を判別する。そして、交換機は、前記交換網の交換機に接続された中継回線８４を捕捉し、この中継回線８４と、基地局８１に接続された加入者側回線（詳細には、通信用チャネル）との間にパス▲１▼を設定する。これにより、ユーザは、相手先電話端末との間で通信を行う。
【００１５】
前記移動機８３と相手先電話端末との通信中に、相手先電話端末に対して割り込み着信が発生すると、移動機８３はコールウェイティング（相手が通話終了まで待機）となる。このとき、交換機は、ネットワーク８０上に、加入者側回線と音源８５の通信チャネルとの間にパス▲２▼を設定する。
【００１６】
また、通信途中、あるいはコールウェイティング中に、移動機８３が特定領域Ａから特定領域Ｂへ移動すると、基地局８２は移動機８３の移動を交換機へ通知する。
【００１７】
交換機は、前記通知を受けると、パス▲１▼を解放すると同時に、基地局８２に接続される加入者側回線と、前記中継回線あるいは前記音源８５の通信チャネルとの間にパス▲３▼を設定する。
【００１８】
さらに、相手先電話端末の割り込み通話が終了すると、交換機は、ネットワーク８０上に移動機８３の加入者側回線と、前記中継回線との間にパスを再設定する。
【００１９】
ところで、移動機を収容する通信網では加入者側回線の入端子が固定されておらず、交換機は、通話路を設定する際に、入端子と出端子との双方を意識して通話路の設定を行わなければならない。つまり、通信サービスの提供による出端子の切り替えに加え、移動機の移動による入端子の切り替えが発生する。そして、このような性質の異なるパス切替は、単一の通話路切替スイッチで行うために、サービスの状態及び移動機の状態の双方を意識する必要があり、処理が複雑になるという問題がある。
【００２０】
【発明が解決しようとする課題】
そこで、本発明は、前記問題点に鑑みてなされたものであり、サービスの変換による通話路の切替処理と、移動機の移動による通話路の切替処理とを独立させ、通話路の切替処理を簡略化するのに有効な技術を提供することを課題とする。
【００２１】
【課題を解決するための手段】
本発明は、上記課題を解決するために以下のようにした。これを図１の原理図に基づいて説明する。
【００２２】
まず、本発明では、交換機の通話路切替スイッチ１上に、特定の出端子５ａからの出力を特定の入端子５ｂへ入力する折り返し回線５を設ける。この折り返し回線５は、交換機の規模に応じて複数設けるようにしてもよい。
【００２３】
上記特定の入端子５ｂ以外の入端子２ａ、２ｂ、・・・には、加入者側回線２−１、２−２、・・・を接続してある。
上記特定の出端５ａ以外の出端子３ａ、３ｂ、・・・には、中継回線３−１、３−２、・・・を接続してある。
【００２４】
加入者側回線２−１、２−２、・・・は、特定領域内に位置する移動機７と無線でデータの送受信を行う基地局Ａ（６ａ）、基地局Ｂ（６ｂ）、・・・（以下、総称して基地局６と記す）と当該交換機とを接続する回線である。
【００２５】
一方、中継回線３−１、３−２、・・・は、他の交換網と当該交換機とを接続する回線である。
ここで、本発明の通話路制御方法は、移動機７からの呼設定要求信号を受信した場合に、入側パス設定ステップ２０１と、出側パス設定ステップ２０２とを含む方法とした。
【００２６】
入側パス設定ステップ２０１は、移動機７を管理する基地局６に接続された加入者側回線２−１、２−２、・・・の入端子２ａ、２ｂ、・・・と、前記折り返し回線５の出端子５ａとの間に、通話路を設定するステップである。
【００２７】
出側パス設定ステップ２０２は、発呼先の端末を収容する交換網に接続された中継回線３−１、３−２、・・・の出端子３ａ、３ｂ、・・・と、前記折り返し回線５の入端子５ｂとの間に、通話路を設定するステップである。
【００２８】
また、通話途中の移動機７が基地局Ａ（６ａ）の管理する特定領域（領域Ａ）から基地局Ｂ（６ｂ）の管理する特定領域（領域Ｂ）へ移動した場合に、本発明の通話路制御方法は、入側パス解放ステップ２０３と、入側パス設定パス２０４とを含む。
【００２９】
上記入側パス解放ステップ２０３は、移動前の特定領域（領域Ａ）を管理する基地局Ａ（６ａ）に接続された加入者側回線２−１の入端子２ａと、前記折り返し回線５の出端子５ａとの間に設定されている通話路を解放するステップである。
【００３０】
上記入側パス設定ステップ２０４は、移動後の領域を管理する基地局Ｂ（６ｂ）に接続された加入者側回線２−２の入端子２ｂと、前記折り返し回線５の出端子５ａとの間に新たな通話路を設定するステップである。
【００３１】
さらに、通話路切替スイッチ１の出端子４ａには、一端を通信サービス提供装置に接続された送受信回線４の他端を接続するようにしてもよい。この場合、交換機が通話途中の移動機７から通信サービスの提供要求を受けると、本発明の通話路制御方法は、出側パス解放ステップ２０５と、出側パス設定ステップ２０６とを含む。
【００３２】
上記出側パス解放ステップ２０５は、前記他の交換網に接続される中継回線３−１、３−２、・・・・の出端子３ａ、３ｂ、・・・と前記折り返し回線５の入端子５ｂとの間に設定されている通話路を解放するステップである。
【００３３】
上記出側パス設定ステップ２０６は、前記通信サービス提供装置に接続される送受信回線４の出端子４ａと前記折り返し回線５の入端子５ｂとの間に通話路を設定するステップである。
【００３４】
次に、本発明の通話路制御装置について説明する。
本発明の通話路制御装置は、交換機の有する呼処理用のＣＰＵとメモリ内のプログラムとにより実現されるものである。
【００３５】
この通話路制御装置は、入側パス設定手段１ａと、出側パス設定手段１ｂとを備える。
上記入側パス設定手段１ａは、交換機が移動機７からの呼設定要求信号を基地局６を介して受信した時に、前記基地局６に接続された加入者側回線２−１、２−２、・・・の入端子２ａ、２ｂ、・・・と折り返し回線５の出端子５ａとの間に通話路を設定する機能を有する。
【００３６】
上記出側パス設定手段１ｂは、発呼先の端末を収容する他の交換網に接続された中継回線３−１、３−２、・・・の出端子３ａ、３ｂ、・・・を判別し、この出端子３ａ、３ｂ、・・・と前記折り返し回線５の入端子５ｂとの間に通話路を設定する機能を有する。
【００３７】
また、通話路制御装置は、入側パス解放手段１ｃと入側パス設定手段１ａとを備えるようにしてもよい。
上記入側パス解放手段１ｃは、通話状態の移動機７が基地局Ａ（６ａ）の管理する特定領域（領域Ａ）から基地局Ｂ（６ｂ）の管理する特定領域（領域Ｂ）へ移動した時に、移動前の特定領域（領域Ａ）を管理する基地局Ａ（６ａ）に接続された加入者側回線２−１の入端子２ａと前記折り返し回線５の出端子５ａとの間に設定されている通話路を解放する機能を有する。
【００３８】
一方、入側パス設定手段１ａは、前記入側パス解放手段１ｃが上記通話路を解放した後に、移動後の特定領域（領域Ｂ）を管理する基地局Ｂ（６ｂ）に接続された加入者側回線２−２の入端子２ｂと、前記折り返し回線５の出端子５ａとの間に新たな通話路を設定する機能を有する。
【００３９】
さらに、通話路制御装置は、出側パス解放手段１ｄと出側パス設定手段１ｂとを備えるようにしてもよい。
上記出側パス解放手段１ｄは、前記交換機が通話路途中の移動機７から通信サービスの提供要求を受けた時に、前記他の交換網に接続されている中継回線３−１、３−２、・・・の出端子３ａ、３ｂ、・・・と、前記折り返し回線５の入端子５ｂとの間に設定されている通話路を解放する機能を有する。
【００４０】
上記出側パス設定手段１ｂは、前記出側パス解放手段１ｄによる通話路の解放後、前記通信サービス提供装置に接続された送受信回線４の出端子４ａと、前記折り返し回線５の入端子５ｂとの間に新たな通話路を設定する機能を有する。
【００４１】
【作用】
本発明の作用について図１の原理図に沿って説明する。
基地局Ａ（６ａ）の管理する特定領域（領域Ａ）に位置する移動機７の利用者が発信処理に続いて通信先端末の着信番号をダイヤルすると、基地局Ａ（６ａ）は、前記着信番号を受信し、この着信番号を加入者側回線２−１を介して交換機へ送信する。
【００４２】
交換機は、基地局Ａ（６ａ）から受信した着信番号に基づいて発呼先の端末を収容する交換網を判別し、通話路切替スイッチ１を起動する。
通話路切替スイッチ１では、先ず基地局Ａ（６ａ）に接続される加入者側回線２−１の入端子２ａと、折り返し回線５の出端子５ａとの間に通話路を設定する入側パス設定ステップが実行される。
【００４３】
次に、発呼先の端末を収容する交換網に接続された中継回線３−１の出端子３ａを判別し、この出端子３ａと折り返し回線の入端子５ｂとの間に通話路を設定する出側パス設定ステップが実行される。このとき、移動機７と通信先端末との間で通信が成立する。
【００４４】
前記移動機７が基地局Ａ（６ａ）の管理する特定領域（領域Ａ）から基地局Ｂ（６ｂ）の管理する特定領域（領域Ｂ）へ移動すると、基地局Ｂ（６ｂ）は移動機７の移動を交換機へ通知する。
【００４５】
通話路切替スイッチ１は、上記入端子２ａと出端子５ａとの間に設定されている通話路を解放する入側パス解放ステップ２０３を実行する。
そして、通話路切替スイッチ１は、基地局Ｂ（６ｂ）に接続された加入者側回線２−２の入端子２ｂと折り返し回線５の出端子５ａとの間に新たな通話路を設定する入側パス設定ステップ２０４を実行する。
【００４６】
さらに、交換機が移動機７から通信サービスの提供要求を受信すると、通話路切替スイッチ１は、出端子３ａと入端子５ｂとの間に設定されている通話路を解放する出側パス解放ステップ２０５を実行する。
【００４７】
そして、通話路切替スイッチ１は、通信サービス提供装置に接続されている送受信回線４の出端子４ａと、折り返し回線５の入端子５ｂとの間に新たな通話路を設定する出側パス設定ステップ２０６を実行する。
【００４８】
ここで、上記通信サービス提供装置は、例えば、通信先の割り込み着信により待ち状態となった移動機７に対し、特定の音声メッセージを送信する機能を有する音源装置等である。すなわち、移動機７と通話状態にある発呼先端末に対して、割り込み着信があると、通話路切替スイッチ１は、先ず中継回線３−１の出端子３ａと折り返し回線５の入端子５ｂとの間に設定されている通話路を解放する出側パス解放ステップを実行する。次に、通話路切替スイッチ１は、サービス提供装置に接続された送受信回線４の出端子４ａと折り返し回線５の入端子５ｂとの間に新たな通話路を設定する出側パス設定ステップ２０６を実行する。
【００４９】
この後、中継回線３−１の通信先端末が割り込み通信を終了すると、通話路切替スイッチ１は、送受信回線４の出端子４ａと折り返し回線５の入端子５ｂとの間に設定されている通話路を解放する出側パス解放ステップと、中継回線３−１の出端子３ａと折り返し回線５の入端子５ｂとの間に再度通話路を設定する出側パス設定ステップとを順次実行する。
【００５０】
【実施例】
以下、本発明の実施例について図面に沿って説明する。
【００５１】
【実施例１】
図４は、本実施例１における交換網の概略構成ブロック図である。
この交換網は、複数の加入者側回線２−１，２−２，・・・の一端と、中継回線３−１，３−２，３−３，・・・の一端を接続した交換機８を有している。
【００５２】
加入者側回線２−１，２−２，・・・の他端には、基地局Ａ（６ａ）、基地局Ｂ（６ｂ）（以下、総称して基地局６と記す）が接続されている。
一方、中継回線３−１，３−２，３−３，・・・の他端には、他の交換機が接続されている。
【００５３】
上記基地局６は、特定領域内に位置する移動機７と無線でデータの送受信を行う機能と、交換機８と加入者側回線２−１，２−２，・・・によりデータの送受信を行う機能とを有する。
【００５４】
さらに基地局６は、一定時間毎に、移動機７に対する呼出信号を発信する機能を有する。これに対して、移動機７は、前記呼出信号に応答して個々の移動機を特定する識別番号を送信する機能を有する。
【００５５】
基地局６は、移動機７からの識別番号を受信すると、この識別番号により特定される移動機が自身の管理する特定領域内に位置することを認識する。
また、基地局６は、自身の管理する特定領域内に、新たな移動機７が移動してきたことを認識すると、この移動機７の識別番号を交換機８へ送信する機能を有する。具体的には、基地局６は、自身の管理する特定領域内に位置する各移動機７の識別番号を保持する格納部を有し、呼出信号に応答して送られてきた識別番号を格納部の識別番号と照合する。そして、基地局６は、格納部に格納されていない識別番号を検出すると、この識別番号の移動機７が新たに移動してきたことを認識する。
【００５６】
尚、移動機７は、複数の基地局６から呼出信号を受信したとき、これらの呼出信号の受信電波の強さを比較し、受信電波が最も強い呼出信号に対して応答する機能を有する。
【００５７】
図５は交換機８における通話路切替スイッチ１の回線接続形態を示す図であり、図６は本実施例１における通話路切替スイッチ１の内部構成を示す図である。
本実施例１における通話路切替スイッチ１は、多重化回路１０と、時間スイッチ１１と、分配回路１２と、呼制御処理装置（ＣＣ）と、呼制御メモリ（ＣＭ）とから構成される。
【００５８】
多重化回路１０と時間スイッチ１１とは入力側ハイウェイ１３により接続されている。
時間スイッチ１１と分配回路１２とは出力側ハイウェイ１４により接続されている。
【００５９】
また、多重化回路１０は、複数の入端子２ａ，２ｂ，５ｂ，５０ｂ，・・・と単一の出端子（図示せず）を備えている。各入端子２ａ，２ｂ，・・・には、基地局６に接続されている加入者側回線２−１，２−２，・・・が接続されている。一方、出端子には、入力側ハイウェイ１３が接続されている。
【００６０】
この多重化回路１０は、複数の加入者側回線２−１，２−２，・・・から入力される信号を、時分割に多重化して入力側ハイウェイ１３上へ送出する機能を有する。
【００６１】
時間スイッチ１１は、入力側ハイウェイ１３から入力される多重化信号の個々の信号の出力経路（何れの中継回線３−１，３−２，３−３，・・・へ出力するか、あるいは送受信回線４へ出力するかを決定するパス）の切替を行う機能を有する。具体的には、伝送路上の各チャネルの時間位置を切り替える機能を有している。
【００６２】
分配回路１２は、単一の入端子と複数の出端子３ａ，４ａ，５ａ，５０ａ，・・・を有する。入端子には、一端を時間スイッチ１１に接続された出力側ハイウェイ１４の他端が接続されている。各出端子３ａ，・・・には、他の交換機へ接続された中継回線３−１，３−２，３−３，・・・を接続し、出端子４ａには、音源装置１６に接続された送受信回線４が接続されている。
【００６３】
さらに、本実施例１における通話路切替スイッチは、分配回路１２の出端子５ａ，５０ａ，・・・からの出力を多重化回路１０の入端子５ｂ，５０ｂ，・・・へ入力する折り返し回線５、５０，・・・を備えている。この折り返し回線５，５０，・・・は単一あるいは複数のチャネルで構成される通信回線である。
【００６４】
また、上記加入者側回線２−１，２−２，・・・、及び中継回線３−１，３−２，３−３，・・・は、例えば、単一のデジタル回線（６４Ｋｂｐｓ）、あるいは多重化されたデジタル回線（例えば２Ｍｂｐｓ）であり、入力側ハイウェイ１３及び出力側ハイウェイ１４は、例えば、数十Ｍｂｐｓの転送速度を有する。
【００６５】
図７は時間スイッチ１１の論理構成を機能別に示した図である。
この時間スイッチ１２は、入端子切替スイッチ部１１ａと出端子切替スイッチ部１１ｂとを備え、これらは折り返し回線５，５０，・・・に対応する固定回線により接続されている。
【００６６】
入端子切替スイッチ部１１ａは、多重化回路１０の入端子２ａ，２ｂ，・・・に対応する入端子２００ａ，２００ｂ，・・・と、分配回路１２の出端子５ａに対応する出端子５００ｂを備えている。上記入端子２００ａ，２００ｂ，・・・には加入者側回線２−１，２−２，・・・に対応する通信チャネルが接続されている。一方、出端子５００ｂには、折り返し回線５に対応する固定回線の通信チャネルが接続されている。
【００６７】
この入端子切替スイッチ部１１ａは、入端子２００ａ，２００ｂ，・・・と出端子５００ａとの間に、パスの設定及び解放を行う機能を有する。
出端子切替スイッチ１１ｂは、分配回路１２の出端子３ａ，４ａ，・・・に対応する出端子３００ａ，４００ａ，・・・と、多重化回路１０の入端子５ｂに対応する入端子５００ｂを備えている。上記出端子３００ａには、中継回線３−１，３−２，３−３，・・・に対応する通信チャネルが接続されている。上記出端子４００ａには、送受信回線４に対応する通信チャネルが接続されている。さらに、入端子５００ｂには、折り返し回線５に対応する固定回線の通信チャネルが接続されている。
【００６８】
この出端子切替スイッチ１１ｂは、入端子５００ｂと出端子３００ａ，４００ａ，・・・との間に、パスの設定及び解放を行う機能を有する。
さらに、時間スイッチ１１は、入端子切替スイッチ部１１ａと出端子切替スイッチ部１１ｂとに対して、パスの設定、解放を指示する通話路制御装置１５を備えている。
この通話路制御装置１５は、呼制御メモリ（ＣＭ）のプログラムに従って動作する呼制御処理装置（ＣＣ）により実現される機能である。
【００６９】
通話路制御装置１５は、入側パス設定部１５ａと、入側パス解放部１５ｂと、出側パス設定部１５ｃと、出側パス解放部１５ｄとを備えている。
上記入側パス設定部１５ａは、入端子切替スイッチ部１１ａに対して、パスを設定すべき入端子２００ａ，２００ｂ，・・・と出端子５００ａとを指示する機能を有している。
【００７０】
入側パス解放部１５ｂは、入端子切替スイッチ部１１ｂに対して、解放すべきパスを指示する機能を有している。具体的には、入側パス解放部１５ｂは、解放すべきパスが設定されている入端子２００ａ，２００ｂ，・・・と出端５００ａとを指示する機能を有している。
【００７１】
上記出側パス設定部１５ｃは、出端子切替スイッチ部１１ｂに対して、パスを設定すべき入端子５００ｂと出端子３００ａ，４００ａ，・・・を指示する機能を有する。
【００７２】
出側パス解放部１５ｄは出端子切替スイッチ部１１ｂに対して、解放すべきパスを指示する機能を有している。具体的には、出側パス解放部１５ｄは、前述の入側パス解放部１５ｂと同様に、解放すべきパスが設定されている入端子５００ｂと出端子３００ａ，４００ａ，・・・とを指示する機能を有している。
【００７３】
尚、通話路制御装置１５は、パスの設定状態を呼制御メモリ（ＣＭ）に登録する機能を有している。
以下、本実施例１における通話路制御装置の動作過程について説明する。
【００７４】
図８は、通信開始時における交換機８の概略動作を示すフローチャート図である。
まず、移動機７は、基地局Ａ（６ａ）の管理する特定領域内に位置するものとする。
【００７５】
移動機７のユーザは、通信を開始する際に、移動機７をオフフック状態（電源を入状態にする等）にして、通信先の着信電話番号をダイヤルする。これにより、移動機７は、呼設定要求信号と前記着信電話番号とを順次発信する。
【００７６】
上記呼設定要求信号と着信電話番号とは、基地局Ａ（６ａ）へ着信され、基地局Ａ（６ａ）から加入者側回線２−１の制御チャネルを経て交換機８へ伝送される。
【００７７】
交換機８は、移動機７からの呼設定要求信号及び着信電話番号を受信した時（ステップ８０１）、加入者側回線２−１上で空き状態にある通信チャネル（ＣＨ１）を捕捉する（ステップ８０２）。
【００７８】
次に、交換機８は、前記着信電話番号から発呼先の端末を管理する交換機を判別すると同時に、この交換機へ接続されている中継回線３−１，３−２，３−３，・・・（ここでは、中継回線３ー１とする）を判別する（ステップ８０３）。そして、交換機８は、中継回線３−１上で空き状態にある通信チャネル（ＣＨ２）を捕捉する（ステップ８０４）。
【００７９】
次に、交換機８は、上記加入者側回線の通信チャネル（ＣＨ１）と中継回線３−１の通信チャネル（ＣＨ２）とを呼制御処理装置（ＣＣ）へ通知し、通話路制御装置１５を起動する。
【００８０】
通話路制御装置１５は、先ず折り返し回線５（あるいは折り返し回線５０）上で空き状態にある通信チャネル（ＦＣＨ）を捕捉する（ステップ８０５）。
通話路制御装置１５は、入側パス設定部１５ａに対して、加入者側回線２−１上で捕捉した通信チャネル（ＣＨ１）の入端子２００ａと、折り返し回線５上で捕捉した通信チャネル（ＦＣＨ）の出端子５００ａとを通知する。
【００８１】
入側パス設定部１５ａは、入端子２００ａと出端子５００ａとの間にパスを設定する（ステップ８０６）。
さらに、通話路制御装置１５は、出側パス設定部１５ｃに対して、折り返し回線５上で捕捉した通信チャネル（ＦＣＨ）の入端子５００ｂと、中継回線３−１上で捕捉した通信チャネル（ＣＨ２）の出端子３００ａとを通知する。
【００８２】
出側パス設定部１５ｃは、入端子５００ｂと出端子３００ａとの間にパスを設定する（ステップ８０７）（図９参照）。
通話路制御装置１５は、入端子切替スイッチ部１１ａ及び出端子切替スイッチ部１１ｂにおけるパスの設定が終了すると、加入者側回線２−１上の通信チャネル（ＣＨ１）と、中継回線３−１上の通信チャネル（ＣＨ２）と、折り返し回線５上の通信チャネル（ＦＣＨ）とを呼制御メモリ（ＣＭ）に登録する（ステップ８０８）。
【００８３】
交換機８は、通話路切替スイッチ１上に設定されたパスを経て呼設定要求信号を発呼先へ送信し（ステップ８０９）、発呼先からの呼設定要求受付信号に待機する（ステップ８１０）。
【００８４】
交換機８は、発呼先から呼設定要求受付信号を受信したとき（ステップ８１２）、通話回線の接続が終了したことを移動機７へ通知する。この後、移動機７と発呼先の端末とは通話状態になる（ステップ８１２）。
【００８５】
次に、交換機８は、移動機７が基地局Ａ（６ａ）の管理する特定領域から他の基地局が管理する特定領域へ移動したことを認識すると（ステップ８１３）、入端子切替処理を実行する。
【００８６】
また、交換機８は、移動機７から通信サービス要求を受信すると（ステップ８１４）、出端子切替処理を実行する。
さらに、交換機８は、移動機７あるいは発呼先から呼切断要求を受信すると（ステップ８１５）、パスの解放処理を実行する。
【００８７】
上記入端子切替処理について図１０のフローチャートに沿って説明する。
移動機７が基地局Ａ（６ａ）の管理する特定領域から基地局Ｂ（６ｂ）の管理する特定領域へ移動したとき、基地局Ｂ（６ｂ）は移動機７の移動を認識し、移動機７の識別番号を交換機８へ通知する。
【００８８】
交換機８は、基地局Ｂ（６ｂ）から移動機７の移動通知を受信すると、基地局Ｂ（６ｂ）に接続された加入者側回線２−２上で、空き状態にある通信チャネル（ＣＨ３）を捕捉する（ステップ１００１）。
【００８９】
そして、交換機８は、新たな通信チャネル（ＣＨ３）を呼制御処理装置（ＣＣ）へ通知し、通話路制御装置１５を起動する。
通話路制御装置１５は、呼制御メモリ（ＣＭ）から移動機７の通話に使用しているパス情報、即ち加入者側回線２−１上の通信チャネル（ＣＨ１）と折り返し回線５上の通信チャネル（ＦＣＨ）とを読み出す（ステップ１００２）。
【００９０】
そして、通話路制御装置１５は、入側パス解放部１５ｂに対して、上記加入者側回線２−１上の通信チャネル（ＣＨ１）の入端子２００ａと、折り返し回線５上の通信チャネル（ＦＣＨ）の出端子５００ａとを通知する。
【００９１】
入側パス解放部１５ｂは、入端子切替スイッチ部１１ａにおいて、加入者側回線２−１上の通信チャネル（ＣＨ１）の入端子２００ａと、折り返し回線５上の通信チャネル（ＦＣＨ）の出端子５００ａとの間に設定されているパスを解放する（ステップ１００３）。
【００９２】
通話路制御装置１５は、入側パス設定部１５ａに対して、加入者側回線２−２上の通信チャネル（ＣＨ３）の入端子２００ｂと、折り返し回線５上の通信チャネル（ＦＣＨ）の出端子５００ａとを通知する。
【００９３】
入側パス設定部１５ａは、上記入端子２００ｂと、出端子５００ａとの間に新たなパスを設定する（ステップ１００４）。
そして、通話路制御装置１５は、呼制御メモリ（ＣＭ）に登録してある通信チャネル（ＣＨ１）を新たな通信チャネル（ＣＨ３）に更新する（ステップ１００５）。
【００９４】
さらに、交換機８は、加入者側回線２−１上に捕捉していた通信チャネル（ＣＨ１）を解放する（ステップ１００６）（図１１参照）。
次に、上記出端子切替処理について図１２のフローチャートに沿って説明する。
【００９５】
交換機８は、移動機７の発呼先端末に割り込み着信が発生したことを認識したとき、移動機７から呼切断要求を受信したか否かを判別する（ステップ１２０１）。
【００９６】
移動機７から呼切断要求を受信しなかった場合、交換機８は、音源装置１６に接続されている送受信回線４上に空き状態の通信チャネル（ＣＨ４）を捕捉する（ステップ１２０２）。交換機８は、この通信チャネル（ＣＨ４）を呼制御処理装置（ＣＣ）へ通知し、通話路制御装置１５を起動する。
【００９７】
通話路制御装置１５は、呼制御メモリ（ＣＭ）から移動機７の通話に使用しているパス情報、即ち折り返し回線５上の通信チャネル（ＦＣＨ）と中継回線３−１上の通信チャネル（ＣＨ２）とを読み出す（ステップ１２０３）。
【００９８】
そして、通話路制御装置１５は、出側パス解放部１５ｄに対して、折り返し回線５上の通信チャネル（ＦＣＨ）の入端子５００ｂと、中継回線３−１上の通信チャネル（ＣＨ２）の出端子３００ａとを通知する。
【００９９】
出側パス解放部１５ｄは、入端子５００ｂと出端子３００ａとの間に設定されているパスを解放する（ステップ１２０４）。
そして、通話路制御装置１５は、出側パス設定部１５ｃに対して、折り返し回線５上の通信チャネル（ＦＣＨ）の入端子５００ｂと、送受信回線４上の通信チャネル（ＣＨ４）の出端子４００ａとを通知する。
【０１００】
出側パス設定部１５ｃは、入端子５００ｂと出端子４００ａとの間にパスを設定する（ステップ１２０５）。
通話路制御装置１５は、呼制御メモリ（ＣＭ）内のＣＨ２をＣＨ４へ書き換える（ステップ１２０６）。
【０１０１】
そして、交換機８は、中継回線３−１上の通信チャネル（ＣＨ２）を解放する（ステップ１２０７）（図１３参照）。
その後、発呼先の割り込み通話が終了すると（ステップ１２０８）、交換機８は、発呼先に接続された中継回線３−１上に通信チャネル（ＣＨ２）を再度捕捉する（ステップ１２０９）。
【０１０２】
そして、交換機８は、この通信チャネル（ＣＨ２）を呼制御処理装置（ＣＣ）へ通知し、通話路制御装置１５を起動する。
通話路制御装置１５は、呼制御メモリ（ＣＭ）から移動機７の通信サービスに使用しているパス情報、即ち折り返し回線５上の通信チャネル（ＦＣＨ）と送受信回線４上の通信チャネル（ＣＨ４）とを読み出す（ステップ１２１０）。
【０１０３】
そして、通話路制御装置１５は、出側パス解放部１５ｄに対して、折り返し回線５上の通信チャネル（ＦＣＨ）の入端子５００ｂと、送受信回線４上の通信チャネル（ＣＨ４）の出端子４００ａとを通知する。
【０１０４】
出側パス解放部１５ｄは、入端子５００ｂと出端子４００ａとの間に設定されているパスを解放する（ステップ１２１１）。
通話路制御装置１５は、出側パス設定部１５ｃに対して、折り返し回線５上の通信チャネル（ＦＣＨ）の入端子５００ｂと、中継回線３−１上の通信チャネル（ＣＨ４）の出端子３００ａとの間にパスを設定する（ステップ１２１２）。
【０１０５】
通話路制御装置１５は、呼制御メモリ（ＣＭ）内のＣＨ４をＣＨ２へ書き換える（ステップ１２１３）。
交換機８は、送受信回線４上の通信チャネル（ＣＨ４）を解放する（ステップ１２１４）。
【０１０６】
上記解放処理について図１４のフローチャートに沿って説明する。
交換機８は、移動機７、あるいは発呼先の端末から呼切断要求を受信すると、相手先へ呼切断要求を送信する（ステップ１４０１）。
【０１０７】
そして、交換機８は、要求元へ呼切断確認信号を返送する（ステップ１４０２）。
交換機８は、パス解放命令を呼制御処理装置（ＣＣ）へ通知し、通話路制御装置１５を起動する。
【０１０８】
通話路制御装置１５は、パス解放命令を受けて、呼制御メモリ（ＣＭ）から移動機７に関するパス情報、即ち加入者側回線２−２上の通信チャネル（ＣＨ１）と、中継回線３−１上の通信チャネル（ＣＨ２）と、折り返し回線５上の通信チャネル（ＦＣＨ）とを読み出す（ステップ１４０３）。
【０１０９】
そして、通話路制御装置１５は、入側パス解放部１５ｂに対して、加入者側回線２−２上の通信チャネル（ＣＨ１）の入端子２００ａと、折り返し回線５上の通信チャネル（ＦＣＨ）の出端子５００ａとを通知する。
【０１１０】
入側パス解放部１５ｂは、入端子２００ａと出端子５００ａとの間に設定されているパスを解放する（ステップ１４０４）。
次に通話路制御装置１５は、出側パス解放部１５ｄに対して、折り返し回線５上の通信チャネル（ＦＣＨ）の入端子５００ｂと、中継回線３−１上の通信チャネル（ＣＨ２）の出端子３００ａとを通知する。
【０１１１】
出側パス解放部１５ｄは、入端子５００ｂと出端子３００ａとの間に設定されているパスを解放する（ステップ１４０５）。
そして、通話路制御装置１５は、折り返し回線５上の通信チャネル（ＦＣＨ）を解放する（ステップ１４０６）。
【０１１２】
さらに、交換機８は、加入者側回線２−２上の通信チャネル（ＣＨ１）と、中継回線３−１上の通信チャネル（ＣＨ２）とを解放する（ステップ１４０７，１４０８）。
【０１１３】
【実施例２】
図１５は、本実施例２における通話路切替スイッチの構成を示す図である。
本実施例２の通話路切替スイッチは、前述の実施例１の構成に対して、時間スイッチ（TIME SWITCH）１７と時間スイッチ（TIME SWITCH）１８との間に空間スイッチ（SPACE SWITCH）１９を接続したＴＳＴ方式のスイッチである。
【０１１４】
時間スイッチ１７は、ｎ段の時間スイッチ１７−１〜１７−ｎで構成し、時間スイッチ１８もｎ段の時間スイッチ１８−１〜１８−ｎで構成されている。
各時間スイッチ１７−１〜１７−ｎ，１８−１〜１８−ｎは、単一の入端子と、単一の出端子とを有している。
【０１１５】
時間スイッチ１７−１〜１７−ｎの入端子には、加入者側回線が接続されている。この加入者側回線には、複数の通信チャネルが時分割多重化されている。
また、時間スイッチ１７−１〜１７−ｎの出端子には、一端を空間スイッチ１９に接続された入側ハイウェイの他端が接続されている。
【０１１６】
時間スイッチ１８−１〜１８−ｎの入端子には、一端を空間スイッチ１９に接続された出側ハイウェイの他端が接続されている。
また、時間スイッチ１８−１〜１８−ｎの出端子には、他の交換機に接続された中継回線、あるいは音源装置等の通信サービスに接続された送受信回線が接続されている。
【０１１７】
上記時間スイッチ１７，１８は、加入者側回線上で多重化されている通信チャネルの時間位置を切り替える機能を有している。
空間スイッチ１９は、ｎ本の入側ハイウェイを接続した入端子と、ｎ本の出側ハイウェイを接続した出端子とを備える。
【０１１８】
この空間スイッチ１９は、入側ハイウェイと出側ハイウェイとの間で接続経路の切替を行う機能を有している。
さらに、本実施例２では、ｎ個の時間スイッチ１７のうち、ｋ（＜ｎ）個の時間スイッチ１７の入端子には、折り返し回線の一端を接続してある。これにともない、ｋ個の時間スイッチ１８の入端子には上記折り返し回線の他端を接続してある。この折り返し回線は、多重化信号を伝送可能な回線であり、時間スイッチ１８からの出力を時間スイッチ１７へ入力する。
【０１１９】
この通話路切替スイッチにおける空間スイッチ１９の論理構成及び機能は、前述の実施例１における時間スイッチ１１と同様であり説明は省略する。
【０１２０】
【発明の効果】
本発明によれば移動機の移動に伴う通話パスの切替を、サービスの制御に伴う通話パスの切替とは独立して行うことができるため、通話路制御を単純化することができ、制御装置への負担が軽減し、処理速度を向上することができる。
【図面の簡単な説明】
【図１】本発明の原理図
【図２】本発明の移動態交換機通話路制御方法を説明する図
【図３】本発明の移動態交換機通話路制御装置を説明する図
【図４】実施例１における交換網の概略構成ブロック図
【図５】実施例１における通話路切替スイッチの回線接続形態を示す図
【図６】実施例１における通話路切替スイッチの内部構成を示す図
【図７】実施例１における時間スイッチの論理構成を示す図
【図８】実施例１における交換機の動作過程を示す概略フローチャート図
【図９】時間スイッチの接続状態を示す図（１）
【図１０】入端子切替処理を示すフローチャート図
【図１１】    時間スイッチの接続状態を示す図（２）
【図１２】出端子切替処理を示すフローチャート図
【図１３】時間スイッチの接続状態を示す図（３）
【図１４】解放処理を示すフローチャート図
【図１５】本実施例２における通話路切替スイッチの構成を示す図
【図１６】従来例の説明図
【符号の説明】
１・・通話路切替スイッチ
１ａ・・入側パス設定手段
１ｂ・・出側パス設定手段
１ｃ・・入側パス解放手段
１ｄ・・出側パス解放手段
２・・加入者側回線
２ａ・・入端子
２ｂ・・入端子
200a・・入端子
200b・・入端子
３・・中継回線
３ａ・・出端子
300a・・出端子
４・・送受信回線
４ａ・・出端子
400a・・出端子
５・・折り返し回線
５ａ・・出端子
５ｂ・・入端子
５０・・折り返し回線
５０ａ・・出端子
５０ｂ・・入端子
500a・・出端子
500b・・入端子
６・・基地局
６ａ・・基地局Ａ
６ｂ・・基地局Ｂ
７・・移動機
８・・交換機
１０・・多重化回路
１１・・時間スイッチ
１１ａ・・入端子切替スイッチ部
１１ｂ・・出端子切替スイッチ部
１２・・分配回路
１３・・入側ハイウェイ
１４・・出側ハイウェイ
１５・・通話路制御装置
１５ａ・・入側パス設定部
１５ｂ・・入側パス解放部
１５ｃ・・出側パス設定部
１５ｄ・・出側パス解放部
１６・・音源装置
１７・・時間スイッチ
１８・・時間スイッチ
１９・・空間スイッチ
【図１】
0003681414.tif 000002
【図２】
0003681414.tif 000003
【図３】
0003681414.tif 000004
【図４】
0003681414.tif 000005
【図５】
0003681414.tif 000006
【図６】
0003681414.tif 000007
【図７】
0003681414.tif 000008
【図８】
0003681414.tif 000009
【図９】
0003681414.tif 000010
【図１０】
0003681414.tif 000011
【図１１】
0003681414.tif 000012
【図１２】
0003681414.tif 000013
【図１３】
0003681414.tif 000014
【図１４】
0003681414.tif 000015
【図１５】
0003681414.tif 000016
【図１６】
0003681414.tif 000017